(57)【要約】【目的】  本発明は、雨傘、日傘、ビーチおよび野山用パラソル、アウトドア用テント傘、その他の傘に関して適用するもので、傘を使っているとき、風力、風圧が傘に掛かった場合、圧力を逃がすと共に、傘の親骨への負担を軽減して、親骨の急激な曲がり、折損を無くすようにし、台風などのように特別な超強風は別としても、普通の強い風では、快適で正常な傘利用を可能にする。【構成】  傘の全ての親骨に、親骨の長さに応じて、露先から石突への露先から受骨までの間の各親骨に一つ、又は数個の逆そり用具と対のバネを設置し、露先から石突に向かうに従って、逆そり用具と対になっているバネの強度を増す構造にし、傘使用中における強風を傘の周囲の全体、あるいは一部より逃がして、傘の親骨への負担を緩和し、支障を来さない傘の広がり具合、広がりの大きさが適正に調整できるように傘機能を構築した風力をなだめる傘。【選択図】  図２
2005081129.tif 000002
【特許請求の範囲】
【請求項１】
傘の全ての親骨に、親骨の長さに応じて、露先から石突への露先から受骨の接点近くまでの間の親骨に一つ、又は数個の逆そり用具と対のバネを設置し、露先から石突に向かうに従って、逆そり用具と対になっているバネの強度を増して行き、開いた傘の中心に行くほど親骨が逆そりしにくいような構造にし、各親骨に逆そり用具を取り付けていることで、逆そり用具部を支点に、強風時の傘使用中における風力、風圧、風向、風量を傘の周囲の全体、あるいは一部を可変させることにより逃がす構成を有して、傘の親骨への負担を緩和し、支障を来さない傘の広がり具合、広がりの大きさが適正に調整できるように傘機能を構築した風力をなだめる傘。
【発明の詳細な説明】
【発明の詳細な説明】
【０００１】  本発明は、雨傘、日傘、ビーチおよび野山用パラソル、アウトドア用テント傘、その他の傘に関して適用するもので、傘を使っているとき、風力、風圧、風向、風量が傘に掛かった場合、圧力を逃がすと共に、傘の親骨への負担を軽減して、親骨の急激な曲がり、折損を無くすようにし、台風などのように特別な超強風は別としても、普通の風の強いときでも、快適で正常な傘利用を可能にしたものである。
【０００２】  従来、風の強いときは傘の親骨全体が逆そりし、曲がってを繰り返していると親骨が折れ、使い物にならなくなり、新しい、高価な傘でも直ぐに捨てることが往々にしてあった。又、風雨のときは逆そりしたり、傘が正規にさされなかったりして、雨具としての効用を発揮することができず、本来の傘の機能を果たしていないのが現状であった。
【０００３】  本発明は、傘に風圧が掛かると傘の親骨が逆そりし、親骨が曲がったり、折れたりするので、傘に風圧が掛かった場合、その圧力を傘の周囲の全体、あるいは一部より逃がして、傘の親骨への負担を緩和させ、親骨の曲がりから来る折損を無くすようにした。
又、従来は強風のとき、傘の親骨全体が逆そりしたり、傘が正規にさされなかったりして、本来の傘の機能、効果が消された形であったが、本発明は強風で傘に風圧が掛かったとき、傘の親骨全体が逆そりするのではなく、親骨の途中、分岐点であり、しかも、傘の全周囲、一部分から逆そりになる構成を有しているため、傘の広がり具合、広がりの大きさが適正に調整できるように傘機能の構築を図り、傘を使用する際に支障を来さない、傘への新しいライフスタイルを提供する。
【０００４】▲１▼  傘の大小さまざまな種類において、傘の全ての親骨、６、８、１０、１６…本などの色々に、親骨の長さに応じて、露先から石突への露先から受骨の接点近くまでの間の親骨に一つ、又は数個の逆そり用具と対のバネを組み込み、露先から石突に向かうに従って、逆そり用具と対になっているバネの強度を増して行き、開いた傘の中心に行くほど親骨が逆そりしにくいような構造にし、中心の石突から受骨の接点以上までの親骨（図４−ｊ：親骨の上部）は各親骨に逆そり用具を取り付けていることで、逆そり用具部を支点に傘使用中における風力、風圧、風向、風量、風速を傘の周囲の全体、あるいは一部を可変させることにより逃がす構成を有していることから、従来の欠点でもある傘の親骨全体が逆そりを起こすことを皆無に近い状態にする。従って、傘の親骨への負担を十分に緩和し、保護することができる。
本発明の逆そり用具対のバネが可変位置（逆そりする形）になるのは、従来傘の親骨全体が逆そりするときと同じ風圧で作動するようにする。従って、本発明も従来傘も、強風時における、風圧を検知するのは同じであるが、従来傘は親骨全体が逆そりし、本発明は制御された可変位置（逆そりする形）になり、本質的に異なっている。又、本発明は逆そり用具対のバネが可変位置（逆そりする形）になることにより、傘全体に掛かる全圧力が下がり、親骨への負担を緩和し、特に、親骨の上部（図中のｊ部）の風圧に対する逆そり強度が一段と増すため、逆そり用具対のバネが可変位置（逆そりする形）になる作動風圧を、従来傘の親骨全体が逆そりするときの風圧より多少下げても問題はない。いずれにしても、親骨の長さ、強さと逆そり用具対のバネが可変位置（逆そりする形）になったときの傘の広がり具合、広がりの大きさなどが正常に適用でき、傘全体のバランス、協調を加味した作動風圧を選定することが重要である。
▲２▼  従来は強風のとき、傘の親骨全体が逆そりしたり、傘が正規にさされなかったりして、本来の傘の機能、効果が消された形であったが、本発明は傘の全ての親骨に、逆そり用具と対のバネを取り付けることにより、強風で傘に風圧が掛かったとき、傘の親骨全体が逆そりするのではなく、親骨の途中、分岐点である逆そり用具と対のバネの設置部であり、しかも、風圧は勿論のこと、風向の掛かり具合によって傘の全周囲、一部分から逆そり用具対のバネが可変位置（逆そりする形）になる構成を有しているため、支障を来さない傘の広がり具合、広がりの大きさが適正に調整できるように傘機能を構築した風力をなだめる傘として、新しいライフスタイルを提供するものである。
【０００５】▲１▼  傘の全ての親骨に、逆そり用具と対のバネを取り付けることにより、各親骨の各逆そり用具部分にある程度以上の風圧が掛かった場合、傘の親骨全体が逆そりするのではなく、親骨の途中、分岐点であり、しかも、傘の全周囲、一部分から逆そりするように構成を有しているので、その圧力を傘の周囲の全体、あるいは一部より逃がしてやり、風圧が下がれば、逆そりから正規の位置に戻る仕組みになっている。
▲２▼  傘の親骨に逆そり用具と対のバネを設けることで、傘の親骨に掛かる風力の大きさ、風向によっては傘の親骨の周囲全体、一部分が移動して可変位置（逆そりする形）になったり、定常位置に戻ったりを繰り返し、傘の広がり具合、広がりの大きさを調整する形になり、傘の使用有効範囲を自然の力、エネルギーである風を利用したコントロールが可能である。
従って、傘が風と一体化、又は、共有化することによって、自動的に傘の使用有効範囲を適正化して、親骨全体の部品寿命を大きく延ばし、保護するものである。
▲３▼  傘の親骨全体に逆そり用具と対のバネを挿入することにより、強風のとき、各逆そり用具と対のバネが可変位置か定常位置にあり、各相互間においては、傘の生地の張りとの兼ね合いもあるので、各親骨全体に逆そり用具と対のバネを取り付ける場所を各逆そり用具と対のバネ間で、協調を取って構成する。
【０００６】▲１▼
【図２】
に示している、傘使用時に風圧差が生じた場合について説明すると、傘の親骨の内側から風圧Ｅが働いたとき、本発明は従来の傘の親骨全体が逆そりし乱雑位置ｓになる、従来傘の親骨全体が逆そりする風圧Ｆと同じ、あるいはそれ以上の風圧Ｅが掛かった場合に、逆そり用具と対のバネ部が作動し、親骨・定常位置ｋから親骨・可変位置ｍへ移行していき、風圧を逃がしてやると行ったプロセスで、不等式で表してみると、Ｅ＜Ｆのときはｋ、ｒ（従来型の親骨・定常位置）でＥ≧Ｆのときはｍ、ｓになる。
従って、本発明は従来傘の親骨全体が逆そりする風圧で、本発明の親骨の途中の一部である逆そり用具と対のバネ部が作動し、親骨の途中の一部から可変（逆そりする形）するので、従来傘の親骨全体が逆そりするときと同じある以上の風圧を受けた場合、本発明は従来傘に比べ、傘の広がり具合、広がりの大きさ共に優れている。又、逆そり用具と対のバネ部が作動し、風圧を逃がすことで、更に傘全体に掛かる全圧力が下がり、親骨への負担を緩和し、特に、親骨の上部（図中のｊ部）の風圧に対する逆そり強度が一段と強化されると言う相乗作用がある。
▲２▼
【図３】
に示している、逆そり用具と対のバネについて、逆そり用具の両サイド部は親骨と親骨を接続する管状、あるいはその他の接続部品構造で、中心部はちょうつがい式の支点になって、両サイド部を片方向のみに動かす。図面で言うと、逆そり用具は下方向には動かず、中部を支点に両サイドの右部と左部どちらも動くものと、右部は動き左部は固定のもので、いずれも上方向だけに動くものにする。バネはコイル状バネ、その他のバネを用いて、逆そり用具の両サイド部に接合して使用する。又、バネはバネの強度を変化させた種々のものを、傘の種類、長さ、用途などに適合して、組み込むことが重要である。
▲３▼
【図４】
に示している、傘の親骨にある逆そり用具と対のバネについて、本発明の一番目逆そり用具ｇ１、一番目バネｈ１が可変位置（逆そりする形）になるのは、従来傘の親骨全体が逆そりするときと同じ風圧で作動するようにして、順次作動していく逆そり用具、バネの設定風圧を少しずつあげるようにする。本発明は、強風時におけるの風力差によって、逆そり用具、バネのｇ、ｈがｇ１、ｈ１‥‥ｇｎ、ｈｎの順に作動し、可変するので、傘全体に掛かる全圧力も、同時に順次が下がってくることになる。
この図の親骨全体における各部の風圧強度を不等式で表してみると、次のようにＡ＜Ｂ＜Ｃ＜Ｄになる。
傘の親骨の長さに応じて、親骨が長くなると親骨に逆そり用具と対のバネの取り付け数を増やしてやるようにする。
【図４】
についても
【図２】
で説明した同様の相乗作用がある。
▲４▼  親骨の先端部である露先は、逆そり用具と対のバネ部が作動し、親骨が可変するので、安全上、養生して保護する必要がある。
【０００７】▲１▼  風が強いときの傘の全親骨への圧力負担が大きく緩和できる。
▲２▼  風が強いときの傘の広がり具合、広がりの大きさが適正に調整でき、傘を使用する際に支障を来さない、傘への新しいライフスタイルが可能である。
▲３▼  風雨でも濡れる量が大幅に緩和でき、快適な傘利用ができる。
▲４▼  風が強いときでも、傘の親骨の曲がりから来る折損する心配がない。
▲５▼  風が強いとき、親骨の上部（図中のｊ部）の風圧に対する強度が一段とアップできる。
▲６▼  風が強いとき、従来傘のように親骨全体が逆そりすることが皆無に近い状態になる。
▲７▼  傘の種類、長さ、用途などに適合した、逆そり用具と対のバネを構成できる。
【図面の簡単な説明】
【図１】  傘を開いたときの各部の名称の図
【図２】  本発明と従来型の傘使用時に風圧差が生じた場合の図
【図３】  逆そり用具と対のバネの図
【図４】  傘の親骨にある逆そり用具と対のバネの図  図中の文字、数字は次の通りである。  Ａ：ｇ１．ｈ１部に対する風圧強度  Ｂ：ｇ２．ｈ２部に対する風圧強度  Ｃ：ｇｎ．ｈｎ部に対する風圧強度  Ｄ：ｊ部に対する風圧強度  Ｅ：傘の親骨の内側からの風圧  Ｆ：従来傘の親骨全体が逆そりする風圧  ａ：露先  ｂ：親骨  ｃ：石突  ｄ：受骨  ｅ：中棒  ｆ：手元  ｇ：逆そり用具  ｈ：バネ  ｇ１：一番目逆そり用具  ｈ１：一番目バネ  ｇ２：二番目逆そり用具  ｈ２：二番目バネ  ｇｎ：ｎ番目逆そり用具  ｈｎ：ｎ番目バネ  ｊ：親骨の上部  ｋ：親骨・定常位置  ｍ：親骨・可変位置  ｒ：親骨・定常位置（従来型）  ｓ：親骨・乱雑位置（従来型）
【図１】
2005081129.tif 000003
【図２】
2005081129.tif 000004
【図３】
2005081129.tif 000005
【図４】
2005081129.tif 000006